(57)【要約】【課題】収納庫に外的に取り付けられるとともに収納庫扉の閉鎖を監視して不正な開放を検知し、また、収納庫が監視できない状態に放置することを検知してセキュリティ性を向上させた収納庫の閉鎖検知器を提供する。【解決手段】収納庫扉が閉鎖しているときに取付可能となる位置に取り付けられる収納庫の閉鎖検知器であって、操作部より所定の暗証コードが入力された後に閉鎖状態を検知しなくなると所定時間の計時を開始する計時部と、少なくとも計時部の計時が所定時間を経過するまでに閉鎖状態を検知しない場合に異常と判定する判定部を備えることにより、不正な開放や収納庫が無監視状態で放置されることを防止する。【選択図】図１
2006011870.tif 000002
【特許請求の範囲】
【請求項１】
収納庫扉が閉鎖している場合に取付け可能となる収納庫の閉鎖検知器であって、
前記取付けに基づき前記収納庫扉の閉鎖状態を検知する検知部と、
所定の暗証コードを入力する操作部と、
所定時間を計時する計時部と、
前記検知部が前記閉鎖状態を検知しなくなったことに基づき異常と判定する判定部と、
前記判定部が異常を判定したときに出力する出力部と、
これら各部を制御する制御部と、
を備え、
前記計時部は、前記操作部より所定の暗証コードが入力された後に前記検知部が前記閉鎖状態を検知しなくなると第一所定時間の計時を開始し、
前記判定部は、少なくとも前記計時部の計時が前記第一所定時間を経過するまでに前記検知部が前記閉鎖状態を検知しない場合に異常と判定することを特徴とした収納庫の閉鎖検知器。
【請求項２】
前記制御部は、前記計時部が前記第一所定時間を計時しているときに前記操作部から所定の入力があると、前記計時部の計時をクリアして再度前記第一所定時間の計時を開始させることを特徴とした請求項１に記載の収納庫の閉鎖検知器。
【請求項３】
前記制御部は、前記操作部より前記暗証コードの入力がなく前記検知部が前記閉鎖状態を検知しなくなると前記計時部を作動して第二所定時間の計時を開始させ、
前記判定部は、該計時が第二所定時間を経過するまでに前記操作部より前記暗証コードが入力されないときに異常と判定することを特徴とした請求項１または２に記載の収納庫の閉鎖検知器。
【請求項４】
前記収納庫の閉鎖検知器は、
前記検知部と前記操作部とを具備して取外し自在に取付けられる第一ユニットと、該第一ユニットと連結手段にて連結される固設の第二ユニットとからなることを特徴とした請求項１から３いずれかに記載の収納庫の閉鎖検知器。
【発明の詳細な説明】
【技術分野】
【０００１】
本発明は、金庫など収納庫扉の閉鎖を検知する収納庫の閉鎖検知器に関し、特に、収納庫扉が閉鎖しているときに取付け可能となる位置に取付けられて閉鎖を検知する収納庫の閉鎖検知器に関するものである。
【背景技術】
【０００２】
従来、収納庫を監視する検知する検知器としては、予め収納庫に内蔵されて監視するものと、収納庫に外的に取り付けられて監視するものとが知られている。
ここで、収納庫は、通常、耐火性能を有しており強固に設計されている。そのため、剛性を維持しつつ検知器を内蔵することは困難となり、検知器を内蔵した収納庫は、大型化や価格の高騰を招き、且つ、メンテナンスが不便となるという問題があった。
そこで、現在では、収納庫の検知器として、収納庫に外的に取り付けられて監視するものが広く利用されている。
【０００３】
収納庫に取り外し可能に取り付けられて収納庫を監視する検知器として、特許文献１に開示された金庫盗難防止用警報機が知られている。この金庫盗難防止用警報機は、傾斜を検知するセンサーと取外しを検知するセンサーとを具備し、金庫の外壁面に取着されて用いられるものであって、金庫の振動や傾き、変位を検知して警報音を発生するとともに、金庫の外壁面から取り外された場合にも警報音を発生するようになっている。
【特許文献１】登録実用新案３０３６９９８号公報
【発明の開示】
【発明が解決しようとする課題】
【０００４】
しかしながら、特許文献１の金庫盗難防止用警報機は、収納庫の振動や収納庫からの取外しを検知する一方で、収納庫扉の開閉を監視することはできないという問題があった。
【０００５】
金庫など収納庫の扉は、通常、ダイアル錠やシリンダー錠にて施錠されているものであるが、常に適切な使用者により解錠されるとは限らず、侵入者により無理やりこじ開けられたり、解錠資格の無い内部の人間により不正に開放されるおそれがある。特許文献１の金庫盗難防止用警報機では、このような不正な開放行為が想定されておらず、振動しないように収納庫扉を不正開放した場合にはこれを検知することができず、失報となるおそれがあった。
【０００６】
また、特許文献１の金庫盗難防止用警報機では、キースイッチによりセンサによる監視をオンオフするようになっているが、センサをオフにした後にオンするのを忘れた場合、収納庫は無監視状態となってしまうという問題があった。例えば、収納庫内部の物品を出し入れするときなど、振動による誤報を防止するためキースイッチによりセンサをオフしたままで作業した場合に、センサをオンにするのを忘れて収納庫のそばを離れてしまうと、収納庫は無防備な状態のまま放置されることとなる。
【０００７】
そこで本発明は、上述した課題を解決するために、収納庫に外的に取り付けられるとともに収納庫扉の閉鎖を監視して不正な開放を検知し、また、収納庫が監視できない状態に放置することを検知してセキュリティ性を向上させた収納庫の閉鎖検知器を提供する。
【課題を解決するための手段】
【０００８】
上記目的を達成するために本発明による検知器は、収納庫扉が閉鎖しているときに取付可能となる位置に取り付けられる収納庫の閉鎖検知器であって、前記位置に取り付けられたことに基づき前記収納庫扉が閉鎖している閉鎖状態を検知する検知部と、所定の暗証コードを入力する操作部と、所定時間を計時する計時部と、前記検知部が前記閉鎖状態を検知しなくなったことに基づき異常と判定する判定部と、前記判定部が異常を判定したときに出力する出力部と、これら各部を制御する制御部と、を備え、前記計時部は、前記操作部より所定の暗証コードが入力された後に前記検知部が前記閉鎖状態を検知しなくなると第一所定時間の計時を開始し、前記判定部は、少なくとも前記計時部の計時が前記第一所定時間を経過するまでに前記検知部が前記閉鎖状態を検知しない場合に異常と判定することを最も主要な特徴とする。
【０００９】
また、好ましくは、前記制御部は、前記計時部が前記第一所定時間を計時しているときに前記操作部から所定の入力があると、前記計時部の計時をクリアして再度前記第一所定時間の計時を開始させることを特徴とする。
【００１０】
さらに、好ましくは、前記制御部は、前記操作部より前記暗証コードの入力がなく前記検知部が前記閉鎖状態を検知しなくなると前記計時部を作動して第二所定時間の計時を開始させ、前記判定部は、該計時が第二所定時間を経過するまでに前記操作部より前記暗証コードが入力されないときに異常と判定することを特徴とする。
【００１１】
また、好ましくは、前記収納庫の閉鎖検知器は、
前記操作部と前記検知部とを具備して取外し自在に取り付けられる第一ユニットと、該第一ユニットと連結手段にて連結されて固設される第二ユニットとからなることを特徴とする。
【発明の効果】
【００１２】
本発明に係る検知器は、収納庫扉が閉鎖しているときに取付可能となる位置に取り付けられるとともに、暗証コードの入力により第一の所定時間だけ閉鎖状態を検知できない状態とすることが許容される。すなわち、この第一の所定時間だけ収納庫扉を開放することが可能となる。そして、第一の所定時間以上閉鎖が検知できない場合に、収納庫が所定時間異常無防備な状態となっていることを検知することができる。
【００１３】
これによって、所定時間以上閉鎖を検知できない状態で放置したり、閉鎖状態を検知させることを失念したりして、収納庫が無防備な状態のまま放置されることを防止することができ、セキュリティ性を向上させることが可能となる。
【００１４】
また、本発明によれば、取外し自在の第一のユニットに操作部を具備する構成としたので、第一のユニットを取り付け／取り外しする時に、操作部の操作と第一のユニットの取り付け／取り外しとを一連の動作として行うことができ、また、操作部を操作することを失念することを防止することができる。
【発明を実施するための最良の形態】
【００１５】
閉鎖検知器１は、収納庫扉１０１の外面に取り付けられる検知ユニット２と、この検知ユニット２とケーブル４で接続されて収納庫本体１００に固定設置される固定ユニット３とから概略構成される。ケーブル４は本発明の連結手段として作用する。
【００１６】
本発明による収納庫の閉鎖検知器１は、収納庫扉１０１の外面に取り付けられる検知ユニット２と収納庫本体１００に固定設置される固定ユニット３をケーブル４で接続して構成される。開閉検知器１は、収納庫扉１０１が閉鎖状態にあるときにのみ取付け可能となり、収納庫扉１０１が閉鎖状態にあることを検知するものである。閉鎖検知器１の検知ユニット２は、少なくとも収納庫扉１０１の前面にかかるように取り付けられることで、収納庫扉１０１を閉止して開放を抑止する。また、閉鎖検知器１は、検知ユニット２が前記取り付け位置から取り外されたことを検知する。つまり、この場合、収納庫扉１０１の開放を抑止できない状態であり、収納庫扉１０１の閉鎖が検知できなくなったことを意味する。
【００１７】
以下、本発明による収納庫の閉鎖検知器を図面を用いて詳細に説明する。
図１は、本発明に係る収納庫の閉鎖検知器を収納庫に設置した状態を示す図、図２は収納庫から検知ユニットを取り外した状態を示す図、図３は収納庫を開放状態とした場合を示す図である。図４は、検知器の構成を示す図である。
【００１８】
収納庫扉１０１の外面には、ベースユニット５が固定されている。検知ユニット２は、このべースユニット５と取り外し可能に係合することにより、扉１０１の外面に取り付けられる。
また、収納庫本体１００には固定ユニット３が固定設置されている。この固定ユニット３と検知ユニット２とはケーブル４で接続される。
ケーブル４は、収納庫扉１０１の自由端側、即ち扉１０１の開閉により扉１０１と収納庫本体１００との間が開口する部分を跨いで固定ユニット３と検知ユニット２とを接続する。このケーブル４の長さは、設置された固定ユニット３と検知ユニット２とを略最短で接続する長さであり、閉鎖状態にある収納庫扉１０１に検知ユニット２が取り付けられた状態で収納庫扉１０１が開放できない長さである。
これにより、収納庫１００は、図１に示すように、検知ユニット２がべースユニット５に取り付けられるとケーブル４により収納庫扉１０１の開放が抑止され、検知ユニット２をべースユニット５から取り外さなければ収納庫扉１０１が開放できない状態となる。
【００１９】
閉鎖検知器１は、検知ユニット２とべースユニット５とが係合していることを検知して収納庫扉１０１が閉鎖状態にあることを検知する。また、検知ユニット２が収納庫扉１０１から取り外されると、検知ユニット２とべースユニット５との係合が解除されたことを検知し、収納庫扉１０１が開放可能な状態にあることを検出する。そして、閉鎖検知器１は、この検知ユニット２が取外されたことを検出することで異常を判定する。閉鎖検知器１は、異常発生と判定すると図示しない警備装置に異常信号を送信する。また、閉鎖検知器１は後述するように利用者にて非常通報の操作をされると警備装置に非常通報信号を送出する。
【００２０】
警備装置は、入力された信号を図示しない遠隔の監視センタや警察署、利用者の携帯電話などに通報するもので、周知のものである。
通常、警備装置は、警戒モードにあるときに信号が入力されると異常を判定する入力インターフェースと、警戒／非警戒モードに拘らず信号が入力されると常に異常を判定する入力インターフェースとを備えている。例えば、前者には人体センサやドア開センサなどが接続され、後者には火災センサや非常通報操作器などが接続される。
本実施例において、閉鎖検知器１は、後者のモードに拘らず入力された信号に基づき異常の発生を判定するインターフェースにて警備装置と接続される。
これにより、警備装置のモードに拘らず収納庫を監視することができる。
【００２１】
次に、図４を参照して検知ユニット２の構成を説明する。
検知ユニット２は、ベースユニット５との取り外しを検知する検知部としての取外し検知部２１と、閉鎖検知器１の動作を制御するための各種アプリケーションや暗証コード等を記憶したＲＯＭ・ＲＡＭ等からなる記憶部２２と、利用者が各種操作入力する操作部２３と、ＬＣＤ／ＬＥＤやブザー音、バイブレータ等により閉鎖検知器１の状態を報知する報知部２４と、所定時間を計時する計時部２５と、各部の出力に基づき異常の有無を判定する異常判定部２６と、異常判定部が異常を判定したときに異常信号を出力する出力部２７と、これらを制御する制御部２０とから構成されている。
【００２２】
記憶部２２には予め利用者の正当性を判断するための暗証コードが記憶されている。
操作部２３は、複数の入力ボタンから構成されて前述の暗証コードの入力等を行なう。
また、検知ユニット２は前述のケーブル４を介して固定ユニット３と電気的に接続されている。出力部２７は、ケーブル４に内包される線路と接続され、当該線路を経由して固定ユニット３に異常信号や非常信号を出力する。なお、このとき、報知部２４に信号出力するようにしてもよい。
【００２３】
検知ユニット２とべースユニット５とは、磁力により係合する。図２に示すように、べースユニット５は検知ユニット２との係合部分に磁石５１が配置され、検知ユニット２におけるべースユニット５との係合部分は磁性体で構成される。そして、検知ユニット２は、べースユニット５に設けられた磁石５１の磁気により吸着されてべースユニット５と係合する。
なお、検知ユニット２とべースユニット５との係合はこれに限らず、例えばべースユニット５に鉤状のフックを形成し、このフックと検知ユニット２が係合するよう構成してもよい。
【００２４】
取外し検知部２１は、例えばリードスイッチで構成され、べースユニット５に設けられた磁石５１を感知してべースユニット５との係合の有無、即ち収納庫扉との取り外しや取り付けの状態を検知する。
なお、取外し検知部２１としては、赤外線の投光部と受光部をべースユニット５と検知ユニット２とに対向させて設けてべースユニット５と検知ユニット２の離間を検知するものや、べースユニット５に突片を形成して係合時に検知ユニット２に設けられたタンパスイッチを押下させることでべースユニット５と検知ユニット２との離間を検知するもの等、種々の検知方式が適用可能である。
【００２５】
次に、図４を参照して固定ユニット３の構成を説明する。
固定ユニット３は、例えば図１に示すように収納庫１００の外側面に粘着テープ等により固定設置されている。また、固定ユニット３は、ケーブル４により検知ユニット２と電気的に接続されている。
固定ユニット３は、ケーブル４を経由して検知ユニット２より信号を受信し、有線又は無線により警備装置と通信する通信部３１と、固定設置された場所から剥離されたことを検知する剥離検知部３２と、ケーブル４の断線を検知する断線検知部３３とから構成されている。
【００２６】
通信部３１は、警備装置と接続され、検知ユニット２から入力された異常信号や非常通報信号を警備装置に送信する。
剥離検知部３２は、固定ユニット３に設けられるタンパスイッチにより構成される。すなわち、固定ユニット３を固定設置する場所に取り付けたとき、固定ユニット３の取付面のタンパスイッチが固定設置場所に押圧される。そして、固定ユニット３が固定設置場所から剥離されるとスイッチが伸出して検知状態となり、剥離を検出する。剥離検知部３２が固定ユニット３の剥離を検知すると、通信部３１は警備装置に異常信号を送出する。なお、このとき、異常信号を報知部２４に出力するようにしてもよい。
断線検知部３３は、ケーブル４に内包される線路の電流または電圧を監視して、ケーブル４の断線を検知する。断線検知部３３がケーブル４の断線を検知すると通信部３１は警備装置に異常信号を送出する。
【００２７】
次に、図５及び図６に示したフローチャートを参照して本実施例による閉鎖検知器１の動作について説明する。
検知ユニット２は図１に示すようにべースユニット５を介して収納庫扉の外面に取り付けられた状態において収納庫扉１０１の閉鎖を検知した状態にある。
このとき、制御部２０は、操作部２３からの暗証コード入力の待ち受け（ＳＴ１）、及び、取外し検知部２１によるベースユニット５からの取り外しを監視する状態（ＳＴ２）にある。
【００２８】
制御部２０は、操作部２３の操作により入力されたコードが記憶部２２に記憶された暗証コードと一致すると（ＳＴ１−Ｙｅｓ）、報知部２４を作動させて照合ＯＫの旨を出力してＳＴ３へ進む。これにより利用者は、図２、図３に示すように、検知ユニット２をべースユニット５から取り外して収納庫扉１０１を開放することができるようになる。
【００２９】
ここで、検知ユニット２がべースユニット５から取り外されると（ＳＴ３−Ｙｅｓ）、制御部２０は計時部２５を作動させて所定時間ｔ１を計時する（ＳＴ−４）。この所定時間ｔ１は、収納庫扉１０１の開放を許可する時間であって、例えば１８０秒に設定される。計時部２５が所定時間ｔ１の計時を開始すると、制御部２０は報知部２４を作動させて、利用者に時間の経過を報知する。このとき、計時部２５による計時の経過に伴いブザーの鳴動間隔を短くしたり、表示やバイブレーションのパターンを変更させるなど報知部２４の動作を異ならせることにより効果的に時間の経過を報知することができる。
【００３０】
他方、暗証コードが入力されてから（ＳＴ１−Ｙｅｓ）所定時間内に検知ユニット２がべースユニット５から取り外されない場合には（ＳＴ３−Ｎｏ）、報知部２４による照合ＯＫの出力を停止して、ＳＴ１に戻り暗証コードの待ち受け状態となる。
【００３１】
ＳＴ４において計時部２５が計時を開始した後、計時部２５の計時が所定時間ｔ１を経過する前に（ＳＴ５−Ｎｏ）、検知ユニット２がべースユニット５に取り付けられると（ＳＴ６−Ｙｅｓ）、制御部２０は、計時部２５の動作を停止し計時をリセットしてＳＴ１に戻り暗証コードの待ち受け状態となる。
【００３２】
他方、計時部２５の計時が所定時間ｔ１を経過すると（ＳＴ５−Ｙｅｓ）、異常判定部２６は、収納庫扉１０１の開放が許可時間（所定時間ｔ１）を越えたことを検知して、出力部２７に第１の異常信号を出力する（ＳＴ９）。この第１の異常信号とは収納庫扉１０１の開放放置を示す異常信号である。
出力部２７より出力された第１の異常信号は、ケーブル４を経由して固定ユニット３に伝送され、固定ユニット３の通信部３１より警備装置に送信される。なお、このとき、制御部２０は、報知部２４を駆動して、収納庫扉１０１の開放放置が発生していることを報知するようにしてもよい。
これにより、検知ユニット２を収納庫扉１０１から取り外したまま放置している状態を検知して出力することが可能となり、検知ユニット２を収納庫扉１０１に取り付けることを失念することを防止できる。
【００３３】
また、計時部２５による計時が所定時間ｔ１を経過する前であって（ＳＴ５−Ｎｏ）、検知ユニット２がべースユニット５に取り付けられていないとき（ＳＴ６−Ｎｏ）、制御部２０は、操作部２３からの所定の入力操作を待ち受けている（ＳＴ７）。この操作部２３からの所定の入力操作とは、利用者が扉１０１の開放許可時間（所定時間ｔ１）を超えて扉１０１を開放するときに入力する操作であり、例えば所定ボタンの操作、暗証コードの入力などである。ここで、ＳＴ７において操作部２３から所定の入力操作があると（ＳＴ７−Ｙｅｓ）、制御部２０は、計時部２５の計時をリセットして（ＳＴ８）、ＳＴ４に戻り再度所定時間ｔ１の計時を開始させる。
これにより、利用者は、扉１０１の開放許可時間となる所定時間ｔ１を越えて扉１０１を開放するときに、操作部２５から所定の入力操作を行うことで適宜所定時間ｔ１の計時をリセットし、扉１０１の開放許可時間を延長させることが可能となる。
【００３４】
次に、図５及び図６を参照して暗証コードの入力がなく検知ユニット２が取り外された場合の動作について説明する。
ＳＴ１において暗証コードの入力がなく（ＳＴ１−Ｎｏ）、検知ユニット２がべースユニット５から取り外されると（ＳＴ２−Ｙｅｓ）、制御部２０は計時部２５を作動させて所定時間ｔ２を計時する（ＳＴ１０）。この所定時間ｔ２は、収納庫扉１０１の不正な開放行為を確定するための時間であって、例えば３０秒に設定される。計時部２５が所定時間ｔ２の計時を開始すると、制御部２０は報知部２４を作動させて、利用者に時間の経過を報知する。
【００３５】
計時部２５の計時が所定時間ｔ２を経過すると（ＳＴ１１−Ｙｅｓ）、異常判定部２６は、不正な開放行為の確定時間（所定時間ｔ２）を越えたことを検知して、出力部２７に第２の異常信号を出力する（ＳＴ１４）。この第２の異常信号とは扉１０１の不正開放を示す異常信号である。
出力部２７より出力された第２の異常信号は、ケーブル４を経由して固定ユニット３に伝送され、固定ユニット３の通信部３１より警備装置に送信される。なお、このとき、制御部２０は、報知部２４を駆動して、扉１０１の不正開放が発生していることを報知するようにしてもよい。
これにより、収納庫扉１０１の開放を抑止するようベースユニット５に取り付けられた検知ユニット２を、暗証コードの入力なしで不正に取り外したことを検知し、収納庫１００を不正に開放する行為を検出することができる。すなわち、収納庫１００を開放する資格を持たない者の不正な開放行為を検知して出力することが可能となる。
【００３６】
また、計時部２５による計時が所定時間ｔ２を経過する前であって（ＳＴ１１−Ｎｏ）、検知ユニット２がべースユニット５に取り付けられ（ＳＴ１２−Ｙｅｓ）、操作部２３から暗証コードの入力があると（ＳＴ１３−Ｙｅｓ）、制御部２０は、計時部２５の動作を停止して計時をリセットし、ＳＴ１に戻り暗証コードの待ち受け状態となる。
これにより、誤って暗証コードの入力を忘れて検知ユニット２を取り外した場合に異常となることを防止して、収納庫１００を開放する資格を持った正規の利用者が誤報することを防止できる。
【００３７】
また、図５及び図６に示すフローチャートのＳＴ１、ＳＴ７、ＳＴ１３において、操作部２３からの操作入力が、非常通報操作の入力である場合には、制御部２０は出力部２７に非常通報信号を出力する。操作部２３の非常通報操作とは、予め設定された所定の操作により入力されるもので、例えば、非常ボタンの操作や、暗証コードを所定法則にて変換して入力することにより行われる。出力部２７より出力された非常通報信号は、ケーブル４を経由して固定ユニット３に伝送され、固定ユニット３の通信部３１より警備装置に送信される。
これにより、正規の利用者が他人により強制的に収納庫１００の開放を強いられたとき、又は、正規の利用者が既に収納庫１００を開放しているときに他人から脅された場合などに、非常事態を通報することができる。
【００３８】
なお、本実施例において、暗証コードの入力がなく検知ユニット２が取り外された場合（図４のＳＴ２−Ｙｅｓ）に、所定時間ｔ２を計時することなく即座に第２の異常出力を行うようにしてもよい。すなわち、図５及び図６に示すフローチャートにおいて、ＳＴ２−ＹｅｓからＳＴ１４に進むよう構成する。
これにより、所定時間ｔ２の経過を経ることなく早期に異常出力することが可能となり、より厳格にセキュリティ性を保つことができる。
【００３９】
また、本実施例では、第１の異常信号と第２の異常信号のいずれも警備装置に送出するようになっているが、第１の異常信号については警備装置に送出せず報知部２４より報知出力するのみとしてもよい。この場合、第１の異常信号は警備装置に出力せず、第２の異常信号は警備装置に出力するよう異常判定部２６及び制御部２０を構成する。
第１の異常信号は、検知ユニット２が正規の利用者によって取り外されたまま所定時間ｔ１を越えて放置されたことに基づくものであり、このような状態は、少なくとも利用者に報知できればよい。そのため、第１の異常信号は警備装置に出力しないよう構成して、この第１の異常信号を警備装置より遠隔の監視センタなどに通報しないようにして通信コストを低減させるようにしてもよい。
【００４０】
さらに、本実施例では、べースユニット５を収納庫扉１０１の外面に固定し、固定ユニット３を収納庫１００の外側面に固定する例について説明したが、これに限定されるものではない。すなわち、べースユニット５に取り付けられた検知ユニット２とケーブル４と固定ユニット３とにより収納庫扉１０１の開放が抑止され、検知ユニット２をべースユニット５から取り外さなければ収納庫扉１０１が開放できない状態となる位置であれば何処に設置されてもよい。例えば、べースユニット５を収納庫１００の外面に固定して固定ユニット３を収納庫扉１０１の外面に固定設置してもよく、べースユニット５を収納庫扉１０１の外面に固定して固定ユニット３を収納庫１００が設置された場所の近傍となる床面や天井、壁面に固定設置するようにしてもよい。
【００４１】
またさらに、本実施例では、検知ユニット２と固定ユニット３との二つのユニットから構成される例について説明したが、これに限定されるものではない。
例えば、検知ユニットを略Ｌ字形状に成型して、この検知ユニット単体から閉鎖検知器を構成してもよい。この場合、Ｌ字形状により収納庫の扉１００外面と収納庫本体１００における扉１０１と直交する面とにわたって配置され収納庫扉１０１の開放を抑止する。すなわち、収納庫扉１０１の開放を抑止するように、Ｌ字形状の検知ユニットを収納庫本体１００と収納庫扉１０１との双方に対しベースユニットを介して取り外し可能に取り付けて、収納庫本体１００と収納庫扉１０１との双方に取り付けられたときに、取付け状態であると検知する。そして、図５及び図６に示すフローチャートに従って異常の発生を判定し、警備装置に出力する。これにより、閉鎖検知器全体の構成を小型化できる。
【００４２】
またさらに、検知ユニット２が、振動や傾斜による変位を検知する変位センサを有する構成としてもよい。
この場合、図５及び図６におけるＳＴ２及びＳＴ３は、取外し検知部２１による取り外し検知時または変位センサによる変位検知時にＹｅｓとなり、ＳＴ６及びＳＴ１２は検知ユニット２がべースユニット５に取り付けられ、且つ、変位センサが変位を検知しないときにＹｅｓとなる。これにより、収納庫扉１０１の開閉に加えて収納庫１００の盗難や破壊による変位を監視することが可能となる。
【図面の簡単な説明】
【００４３】
【図１】本発明による閉鎖検知器が設置された収納庫が閉鎖された状態を示す図である。
【図２】図１の状態において検知ユニットがベースユニットから取り外された状態を示す図である。
【図３】図２の状態において収納庫が開放された状態を示す図である。
【図４】本発明による閉鎖検知器の構成を示す図である。
【図５】本発明による閉鎖検知器の動作を示すフローチャートである。
【図６】本発明による閉鎖検知器の動作を示すフローチャートである。
【符号の説明】
【００４４】
１    閉鎖検知器
２    検知ユニット
３    固定ユニット
４    ケーブル
５    べースユニット
２１  取外し検知部
２２  記憶部
２３  操作部
２４  報知部
２５  計時部
２６  異常判定部
２７  出力部
３１  通信部
３２  剥離検知部
３３  断線検知部
５１  磁石
１００  収納庫本体
１０１  収納庫扉
【図１】
2006011870.tif 000003
【図２】
2006011870.tif 000004
【図３】
2006011870.tif 000005
【図４】
2006011870.tif 000006
【図５】
2006011870.tif 000007
【図６】
2006011870.tif 000008